(57)【要約】【課題】  光キーボード指示システム装置の提供。【解決手段】  キーボード内にキーボード発光回路とキーボード指示制御回路が設けられ、キーボードの各キー中に蛍光片或いはその他の発光装置が設けられ、これら発光装置が発光回路に接続され、コンピュータソフトユニット中に指示ソフト（例えば入力法指示ソフト）、アプリケーションソフト制御インタフェース及び駆動プログラムが設けられ、キーボードを操作する時、各種文字入力法、アプリケーションソフト操作、ウェブページ入力、ゲームソフトキーボード使用指示及び自動ソフト等の発光指示を構成し、キーボードの操作を更に便利に、快速に行なえるようにする。【選択図】        図１
0003110088.tif 000002
【実用新案登録請求の範囲】
【請求項１】
キーボード内にキーボード発光回路とキーボード指示制御回路が設けられ、キーボードの各キー中に蛍光片或いはその他の発光装置が嵌め込まれ、これら発光装置が発光回路に接続され、コンピュータソフトユニット中に指示ソフト、アプリケーションソフト制御インタフェース及び駆動プログラムが設けられ、指示ソフト、アプリケーションソフト制御インタフェース及び駆動プログラムの制御により、キーボード操作時に、異なる文字入力法或いはアプリケーションソフト、ウェブページ入力により、操作過程中に発光装置が発光して使用者に次に入力が必要なキーを光で指示することを特徴とする、光指示キーボードシステム装置。
【請求項２】
請求項１記載の光指示キーボードシステム装置において、キーに設けられた発光装置が蛍光片或いはその他の発光装置とされたことを特徴とする、光指示キーボードシステム装置。
【請求項３】
請求項１記載の光指示キーボードシステム装置において、キーボード指示制御回路、ＵＳＢ接続のキーボード回路に接続されたことを特徴とする、光指示キーボードシステム装置。
【請求項４】
請求項１記載の光指示キーボードシステム装置において、指示ソフトが各種入力法の判断及び入力法の次に入力が必要なキー位置データを提供することを特徴とする、光指示キーボードシステム装置。
【請求項５】
請求項１記載の光指示キーボードシステム装置において、アプリケーションソフト制御インタフェースは、アプリケーションソフト及び入力法指示ソフトにより発光キーを制御するためのインタフェースプログラムであることを特徴とする、光指示キーボードシステム装置。
【請求項６】
請求項１記載の光指示キーボードシステム装置において、駆動プログラムがキーボード発光回路を駆動するのに用いられることを特徴とする、光指示キーボードシステム装置。
【請求項７】
請求項１記載の光指示キーボードシステム装置において、発光装置が各種造形とされたことを特徴とする、光指示キーボードシステム装置。
【考案の詳細な説明】
【技術分野】
【０００１】
本考案は一種の光キーボード指示システム装置に係り、特に、キーボード操作時に、光で次の入力が必要なキーを指示し、キーボードの操作を更に簡単に、快速に行なえるようにするシステム装置に関する。
【背景技術】
【０００２】
現在あるコンピュータに使用されているキーボードは、文字入力、アプリケーションソフト、ゲームソフト、或いは教育ソフトを操作する時のいずれも、キーボードの全体のキー数が非常に多いために、使用者が各キーの所在位置を確実に了解していなければ快速な操作は行なえず、コンピュータを常時使うわけではなかったりコンピュータに詳しくない使用者に不便をもたらし、エラーが頻繁となり、コンピュータの作業に影響を与え、特に異なるアプリケーションソフト、ゲームソフトを使用する時は、瞬間の反応が操作の結果に影響が生じるため、改善が待たれている。また、周知の発光機能を具えたキーボード構造（押せば発光する機能を具備するだけで、指示の効果は有していない）は、その発光装置に通常ＬＥＤを採用し、発熱、眼に対する刺激を発生しやすく、また損耗しやすい等の欠点を有している。
【考案の開示】
【考案が解決しようとする課題】
【０００３】
本考案の目的は、一種の光キーボード指示システム装置を提供することにあり、それはキーボードのキーを、異なる文字入力を行なったり異なるソフトを操作する時に、使用者に対して次に入力が必要なキーを光で指示できるものとし、キーボードの操作を便利に、速やかに行なえるようにし、並びに操作中のエラーを減らせるようにするシステム装置であるものとする。
【０００４】
前述の光キーボード指示システム装置は、周知のキーボード内にキーボード発光回路とキーボード指示制御回路が設けられ、並びにキーボードの各キー中に発光装置が嵌め込まれている。コンピュータソフトユニット中に指示ソフト、アプリケーションソフト制御インタフェース及び駆動プログラムが設けられる。指示ソフト、アプリケーションソフト制御インタフェースの制御を通して、キーボードを操作する時、使用者に対し、次に入力が必要なキーの光による指示を形成する。
【０００５】
前述の光キーボード指示システム装置は、キーボードの各種のキー中の発光装置が蛍光片或いはその他の発光装置とされる。
【０００６】
前述の光キーボード指示システム装置は、ＵＳＢ接続ポートを、データ伝送と発光装置制御のハードウエアインタフェースとして利用する。
【０００７】
前述の光キーボード指示システム装置は、発光装置制御回路がもとのキーボード回路に接続され、各キーの発光装置を駆動する。
【０００８】
前述の光キーボード指示システム装置は、指示ソフトウエアは各種入力法（例えば日本語のひらがな、或いは他の非英語系国家の言語の入力法）において次に入力するキーを指示するソフトとされる。
【０００９】
前述の光キーボード指示システム装置は、アプリケーションソフト制御インタフェースが一般のアプリケーションプログラム（例えばゲームソフト、学習ソフト、ウェブページソフト及びその他のアプリケーションソフト）を直接制御する光キーボード指示のソフトインタフェースである。
【００１０】
前述の光キーボード指示システム装置は、駆動プログラムが発光回路駆動に用いられる。
【課題を解決するための手段】
【００１１】
請求項１の考案は、キーボード内にキーボード発光回路とキーボード指示制御回路が設けられ、キーボードの各キー中に蛍光片或いはその他の発光装置が嵌め込まれ、これら発光装置が発光回路に接続され、コンピュータソフトユニット中に指示ソフト、アプリケーションソフト制御インタフェース及び駆動プログラムが設けられ、指示ソフト、アプリケーションソフト制御インタフェース及び駆動プログラムの制御により、キーボード操作時に、異なる文字入力法或いはアプリケーションソフト、ウェブページ入力により、操作過程中に発光装置が発光して使用者に次に入力が必要なキーを光で指示することを特徴とする、光指示キーボードシステム装置としている。
請求項２の考案は、請求項１記載の光指示キーボードシステム装置において、キーに設けられた発光装置が蛍光片或いはその他の発光装置とされたことを特徴とする、光指示キーボードシステム装置としている。
請求項３の考案は、請求項１記載の光指示キーボードシステム装置において、キーボード指示制御回路、ＵＳＢ接続のキーボード回路に接続されたことを特徴とする、光指示キーボードシステム装置としている。
請求項４の考案は、請求項１記載の光指示キーボードシステム装置において、指示ソフトが各種入力法の判断及び入力法の次に入力が必要なキー位置データを提供することを特徴とする、光指示キーボードシステム装置としている。
請求項５の考案は、請求項１記載の光指示キーボードシステム装置において、アプリケーションソフト制御インタフェースは、アプリケーションソフト及び入力法指示ソフトにより発光キーを制御するためのインタフェースプログラムであることを特徴とする、光指示キーボードシステム装置としている。
請求項６の考案は、請求項１記載の光指示キーボードシステム装置において、駆動プログラムがキーボード発光回路を駆動するのに用いられることを特徴とする、光指示キーボードシステム装置としている。
請求項７の考案は、請求項１記載の光指示キーボードシステム装置において、発光装置が各種造形とされたことを特徴とする、光指示キーボードシステム装置としている。
【考案の効果】
【００１２】
本考案はキーボード上の実体キーに発光する装置が設けられ、発光回路の制御に入力法指示ソフト、アプリケーションソフト制御インタフェース及び駆動プログラムが組み合わされて、キーボード操作時に、使用者に次に入力が必要なキーを光で指示し、キーボードの操作を更に簡便、快速に行なえるようにし、実用的な設計であり、新規性を有し、ゆえに本考案は実用新案登録の要件を具備している。
【考案を実施するための最良の形態】
【００１３】
図１から図５に示されるように、本考案は周知のキーボード１１内にキーボード指示制御回路１２及びキーボード発光回路１３が設けられ、該キーボード発光回路１３がキーボード１１の各キー１１１中に設けられた発光装置１４（蛍光片或いはその他の発光装置とされ、本実施例では蛍光片が採用され、発熱せず、眼を刺激せず、損耗しにくく、節電できる等の長所がある）に接続され、組立後のキーボード１１がコンピュータ２０のＵＳＢ接続ポート２１に接続される。コンピュータオペレーションシステム３０中にキーボード発光回路１３を駆動する駆動プログラム３１、及びアプリケーションソフト制御インタフェース３２、入力法指示ソフト３３が設けられ、アプリケーションソフト３４（例えばゲームソフト、教育ソフト、ウェブページプログラム及びその他のアプリケーションソフト）或いは入力法ソフト３５（日本語ひらがな入力法或いはその他の非英語国家語句の入力法）に指示作用を具備させる。コンピュータ２０内に設けられた入力法指示ソフト３３、アプリケーションソフト制御インタフェース３２及び駆動プログラム３１はキーボード１１操作時に、異なるキー１１１の発光装置１４を点灯させ、使用者に次に入力が必要なキーを光で指示する。
【００１４】
図３から図５に示されるように、発光装置１４はキー１１１の下方に置かれ、その点灯時には上向きにキー１１１を照らし、指示の効果を構成する。キーボード１１のキー１１１に対応する位置には受け柱１１２と弾性体１３が設けられ、受け柱１１２はリブ１１４を具えて嵌め込み方式でキー１１１と結合し、これによりキー１１１が押圧された後に弾力を利用して原状に回復するものとされる。且つ該キー１１１の構造は異なる造形の発光装置１４への交換に便利である。
図６に示されるように、発光装置１４は各種造形とされ得て、これにより光指導の効果のほかに、広告と目を引く効果を有する。
【００１５】
図２に示されるように、本考案の光キーボード指示システム装置に組み合わされる異なるアプリケーションのフローは以下のようである。
一．入力法指示アプリケーション：
ａ．入力法起動時に、入力法指示ソフトがこれにより起動し、該指示ソフトは入力法の切り換えによりどの種類の入力法（日本語ひらがな或いはその他の非英語系国家言語の入力法）かを判断し、且つその種類の入力法の次に入力可能なキー位置を送出する。
ｂ．ａの選択により、ソフト制御インタフェースを通して駆動プログラムに駆動すべき発光キーの位置を提供する。
ｃ．ａの判断により、次に発光が必要なキー位置の有無を判断して、無ければプログラムを終了する。
ｄ．ａで示された発光が必要なキーボード位置によりキーボードを制御する駆動プログラム及びハードウエア回路を通してキーの点灯する発光装置を指定する。
ｅ．使用者がキー入力を行なうのを待ち、且つワードを入力法指示プログラムに伝送して判断する。
ｆ．入力されたワードを表示する。
【００１６】
図７から図２６を参照し、日本語ひらがな入力法の実施例を以下に示す。
１．使用者がコンピュータ中で日本語ひらがな入力法を起動し、並びにＴを押す（図７）。
２．キーボード上のＡ、Ｉ、Ｅ、Ｕ、Ｏ、Ｔ、Ｙ及びスペースキーが点灯し、次に入力できるキーを指示する（図８）。
３．使用者がＯキーを押すと、スクリーンに「と」が表示され（図９）、即ちそのうちの（ＡからＺ）の２６個の英文字とスペースキーが点灯し、次に入力可能なキーを指示する（図１０）。
４．使用者がＭキーを押すと（図１１）、Ａ、Ｉ、Ｅ、Ｕ、Ｍ、Ｏ、Ｙ及びスペースキーが点灯し、次に入力できるキーを指示する（図１２）。
５．使用者がＯキーを押すと（図１３）、スクリーンに「も」が表示され、即ちそのうちの（ＡからＺ）の２６個の英文字とスペースキーが点灯し、次に入力可能なキーを指示する（図１４）。
６．使用者がＤキーを押すと（図１５）、Ａ、Ｉ、Ｄ、Ｅ、Ｕ、Ｏ、Ｙ及びスペースキーが点灯し、次に入力できるキーを指示する（図１６）。
７．使用者がＡキーを押すと（図１７）、スクリーンに「だ」が表示され、即ちそのうちの（ＡからＺ）の２６個の英文字とスペースキーが点灯し、次に入力可能なキーを指示する（図１８）。
８．使用者がＣキーを押すと（図１９）、Ａ、Ｉ、Ｃ、Ｅ、Ｕ、Ｏ、Ｈ、Ｙ及びスペースキーが点灯し、次に入力できるキーを指示する（図２０）。
９．使用者がＨキーを押すと（図２１）、Ａ、Ｉ、Ｅ、Ｕ、Ｏ及びスペースキーが点灯し、次に入力できるキーを指示する（図２２）。
１０．使用者がＩキーを押すと（図２３）、スクリーンに「ち」が表示され、即ちそのうちの（ＡからＺ）の２６個の英文字とスペースキーが点灯し、次に入力可能なキーを指示する（図２４）。
１１．使用者がスペースキーを押すと、スクリーンに「友達」が表示され（図２５）、即ちスペースキー、Ｅｎｔｅｒキーが点灯し、次に入力可能なキーを指示する（図２６）。
１２．使用者がＥｎｔｅｒキーを押すと、入力が完成し、使用がスペースキーを押すと、０〜９、上、下のカーソルキーが点灯し、次に入力可能なキーを指示する（図示せず）。
【００１７】
二．アプリケーションプログラム使用方式指示（例えばゲームソフト、教育ソフト、ウェブページ及びその他のアプリケーションソフト）：
ａ．アプリケーション開発時に、プログラムを利用してソフトウエアインタフェースを通して発光キー位置を制御する。
ｂ．ａの発光が必要な位置により、次に発光が必要なキー位置があるかを判断し、なければプログラムを終了する。
ｃ．駆動が必要なキーがあれば、キーボード制御の駆動プログラム及びハードウエア回路によりキーを指定して発光装置を発光させる。
ｄ．使用者によるキー入力を待ち、情報をアプリケーションソフトに応答する。
ｅ．入力されたワードを表示するかアプリケーションプログラムの動作を実行する。
【００１８】
以上の実施例は説明の為に提示されたものであり、以上の入力ソフト及び入力法指示ソフトは各地区の慣用の入力法或いは記述法により異なるソフトに変換可能であり、特定の言語入力法或いは記述法に限定されるものではない。
【００１９】
図２７、２８に示されるように、本考案はアプリケーションソフトを使用する時（ｗｏｒｄを例とする）、マウスで「Ｃｏｐｙ」を選択する時、キーボード上のＣｔｒｌキーとＣキーが点灯し、同時にＣｔｒｌキーとＣキーを押すのが複製動作のクイックキーであることを代表し、マウスで「Ｐａｓｔｅ」をクリックする時、キーボード上のＣｔｒｌキーとＶキーが点灯し、同時にＣｔｒｌキーとＶキーを押すのが貼り付け動作のクイックキーであることを代表する。
【００２０】
また、図２９に示されるように、本考案はオンラインログインに使用される時、マウスで「ＩＤ」をクリックする時、フィールドと関係し入力に供され得るキーが点灯し、入力に供される。「Ｐａｓｓｗｏｒｄ」をクリックする時、同様に入力に供され得るキーが点灯する。もし個人データを入力する時は（図示せず）、「通信電話」をクリックすると、キーボードの各数字キーが点灯し、次に入力できるキーを指示する（電話番号は数字のみで構成されているため）。
【００２１】
図３０に示されるように、本考案はまた各種のゲームソフトの操作に供され、ゲーム時に対応するキーが点灯し、且つキー設定操作時に、その対応するキーもまた点灯する。本考案は教育ソフトに使用される時、同様に対応するキーが点灯する効果を構成する。
【図面の簡単な説明】
【００２２】
【図１】本考案のソフトハードシステムブロック図である。
【図２】本考案のキーボードの動作フローチャートである。
【図３】本考案のキーボードのキー構造の立体分解図である。
【図４】本考案のキーボードのキー構造の断面図である。
【図５】本考案のキーボードのキー構造の断面図である。
【図６】本考案の発光装置の各種の異なる造形の表示図である。
【図７】本考案の日本語ひらがな入力法を使用した操作実施例図である。
【図８】本考案の日本語ひらがな入力法を使用した操作実施例図である。
【図９】本考案の日本語ひらがな入力法を使用した操作実施例図である。
【図１０】本考案の日本語ひらがな入力法を使用した操作実施例図である。
【図１１】本考案の日本語ひらがな入力法を使用した操作実施例図である。
【図１２】本考案の日本語ひらがな入力法を使用した操作実施例図である。
【図１３】本考案の日本語ひらがな入力法を使用した操作実施例図である。
【図１４】本考案の日本語ひらがな入力法を使用した操作実施例図である。
【図１５】本考案の日本語ひらがな入力法を使用した操作実施例図である。
【図１６】本考案の日本語ひらがな入力法を使用した操作実施例図である。
【図１７】本考案の日本語ひらがな入力法を使用した操作実施例図である。
【図１８】本考案の日本語ひらがな入力法を使用した操作実施例図である。
【図１９】本考案の日本語ひらがな入力法を使用した操作実施例図である。
【図２０】本考案の日本語ひらがな入力法を使用した操作実施例図である。
【図２１】本考案の日本語ひらがな入力法を使用した操作実施例図である。
【図２２】本考案の日本語ひらがな入力法を使用した操作実施例図である。
【図２３】本考案の日本語ひらがな入力法を使用した操作実施例図である。
【図２４】本考案の日本語ひらがな入力法を使用した操作実施例図である。
【図２５】本考案の日本語ひらがな入力法を使用した操作実施例図である。
【図２６】本考案の日本語ひらがな入力法を使用した操作実施例図である。
【図２７】本考案をアプリケーションソフト操作に使用した操作実施例図である。
【図２８】本考案をアプリケーションソフト操作に使用した操作実施例図である。
【図２９】本考案をオンラインログイン操作に使用した操作実施例図である。
【図３０】本考案をゲームソフト操作に使用した操作実施例図である。
【符号の説明】
【００２３】
１１  キーボード          １１１  キー
１１２  受け柱            １１３  弾性体
１１４  リブ              １２  キーボード指示制御回路
１３  キーボード発光回路  １４  発光装置
２０  コンピュータ        ２１  接続ポート
３０  オペレーションシステム  ３１  駆動プログラム
３２  アプリケーションソフト制御インタフェース
３３  入力法指導ソフト
３４  アプリケーションプログラム    ３５  入力法ソフト
【図１】
0003110088.tif 000003
【図２】
0003110088.tif 000004
【図３】
0003110088.tif 000005
【図４】
0003110088.tif 000006
【図５】
0003110088.tif 000007
【図６】
0003110088.tif 000008
【図７】
0003110088.tif 000009
【図８】
0003110088.tif 000010
【図９】
0003110088.tif 000011
【図１０】
0003110088.tif 000012
【図１１】
0003110088.tif 000013
【図１２】
0003110088.tif 000014
【図１３】
0003110088.tif 000015
【図１４】
0003110088.tif 000016
【図１５】
0003110088.tif 000017
【図１６】
0003110088.tif 000018
【図１７】
0003110088.tif 000019
【図１８】
0003110088.tif 000020
【図１９】
0003110088.tif 000021
【図２０】
0003110088.tif 000022
【図２１】
0003110088.tif 000023
【図２２】
0003110088.tif 000024
【図２３】
0003110088.tif 000025
【図２４】
0003110088.tif 000026
【図２５】
0003110088.tif 000027
【図２６】
0003110088.tif 000028
【図３０】
0003110088.tif 000029
【図２７】
0003110088.tif 000030
【図２８】
0003110088.tif 000031
【図２９】
0003110088.tif 000032
【手続補正書】
【提出日】平成17年2月17日(2005.2.17)
【手続補正１】
【補正対象書類名】図面
【補正対象項目名】図２７
【補正方法】変更
【補正の内容】
【図２７】
0003110088.tif 000033
【手続補正２】
【補正対象書類名】図面
【補正対象項目名】図２８
【補正方法】変更
【補正の内容】
【図２８】
0003110088.tif 000034
【手続補正３】
【補正対象書類名】図面
【補正対象項目名】図２９
【補正方法】変更
【補正の内容】
【図２９】
0003110088.tif 000035